(57)【特許請求の範囲】
【請求項１】
無線移動通信システムにおける移動局の電力を制御する電力制御装置であって、
前記移動局から送信されるデータ品質情報を受信する通信手段と、
前記移動局から今回受信した第１のデータ品質情報を用いて前記移動局の受信品質の第１の指標を計算し、該移動局から前回受信した第２のデータ品質情報を用いて該受信品質の第２の指標を計算し、得られた第１の指標と第２の指標の差分を判定値と比較して、該受信品質を判定し、判定結果に基づいて、該移動局に設定される第１の目標電力品質と基地局に設定される第２の目標電力品質を変更する判定手段と、
変更された前記第１の目標電力品質を前記移動局に通知し、変更された前記第２の目標電力品質を前記基地局に通知する通知手段と
を備えることを特徴とする電力制御装置。
【請求項２】
前記判定手段は、前記第１の指標と前記第２の指標の差分を前記判定値と比較し、かつ、該第１の指標を判定値と比較して、前記受信品質を判定することを特徴とする請求項１記載の電力制御装置。
【請求項３】
無線移動通信システムにおける移動局の電力を制御する電力制御方法であって、
前記移動局とデータ通信を行って、該移動局から送信される第１のデータ品質情報を受信し、
前記移動局とデータ通信を行って、該移動局から送信される第２のデータ品質情報を受信し、
第１のデータ品質情報を用いて前記移動局の受信品質の第１の指標を計算し、前記第２のデータ品質情報を用いて該受信品質の第２の指標を計算し、得られた第１の指標と第２の指標の差分を判定値と比較して、該受信品質を判定し、
判定結果に基づいて、前記移動局に設定される第１の目標電力品質と基地局に設定される第２の目標電力品質を変更し、
変更された前記第１の目標電力品質を前記移動局に通知し、変更された前記第２の目標電力品質を前記基地局に通知する
ことを特徴とする電力制御方法。
【発明の詳細な説明】
【技術分野】
【０００１】
本発明は、無線通信システムにおける電力制御に係り、特に、広帯域符号分割多重アクセス（Wideband Code Division Multiple Access：Ｗ−ＣＤＭＡ）技術を有する移動通信システムにおいて実施される、移動局−基地局装置−基地局制御装置間の電力制御を行う装置に関する。
【背景技術】
【０００２】
Ｗ−ＣＤＭＡシステムにおける電力制御方法に関しては、３ＧＰＰ（3rd Generation Partnership Project）規格にて、下記（１）〜（３）のように規定されている。
（１）オープンループ電力制御（Open Loop Power Control ）（下記の非特許文献１を参照）
オープンループ電力制御は、共通チャネル（Ｐｒｅａｍｂｌｅ  ＲＡＣＨ（Random Access Channel ）／Ｐｒｅａｍｂｌｅ  ＣＰＣＨ（Control Physical Channel））に適用される。
【０００３】
図１１は、Ｐｒｅａｍｂｌｅ  ＲＡＣＨ送信時の移動局（ＵＥ）における初期送信電力制御の動作シーケンスを示している。まず、基地局装置（Ｎｏｄｅ  Ｂ）は、ＵＥに対してＰＣＣＰＣＨ（Primary Common Control Physical Channel )送信またはＢＣＨ（Broadcast Channel )送信を行い、System Information Blockを用いてセル送信電力およびパイロットチャネル電力を通知する（手順１１）。
【０００４】
ＵＥは、発呼動作を開始し（手順１２）、System Information Block内のセル送信電力（ＣＰＩＣＨ（Common Pilot Channel）送信電力）から、自局で受信した電力（ＣＰＩＣＨ  Ｅｃ／ＩｏまたはＲＳＣＰ（Received Signal Code Power））を差し引いて、発信先の基地局とのパス損失（Path Loss ）を計算する（手順１３）。そして、パス損失を考慮した自局の発信電力を決定し、その発信電力でＰｒｅａｍｂｌｅ  ＲＡＣＨ送信を行う（手順１４）。
【０００５】
その後、基地局制御装置（ＲＮＣ）は、ＲＡＣＨにて報告（Ｍｅａｓｕｒｅｍｅｎｔ  Ｒｅｓｕｌｔｓ  ｏｎ  ＲＡＣＨ）を受け、ＵＥの受信電力状態を元に、下り制御情報を送信する際に使用する共通チャネル（ＦＡＣＨ（Forward Access Channel））の最大送信電力を決定する。
【０００６】
オープンループ電力制御を実施する場合、System Information Block内の“Ｐｒｉｍａｒｙ  ＣＰＩＣＨ  Ｔｘ  ｐｏｗｅｒ”および“Ｃｏｎｓｔａｎｔ  ｖａｌｕｅ”を使用する。Ｐｒｉｍａｒｙ  ＣＰＩＣＨ  Ｔｘ  ｐｏｗｅｒおよびＣｏｎｓｔａｎｔ  ｖａｌｕｅは、それぞれ図１２および図１３に示すように定義されている。
【０００７】
ＵＥから発信されるＰｒｅａｍｂｌｅ  ＲＡＣＨ送信電力（Ｐｒｅａｍｂｌｅ  Ｉｎｉｔｉａｌ  Ｐｏｗｅｒ）は、以下の式で与えられる。
Ｐｒｅａｍｂｌｅ＿Ｉｎｉｔｉａｌ＿Ｐｏｗｅｒ＝
Ｐｒｉｍａｒｙ  ＣＰＩＣＨ  ＴＸ  ｐｏｗｅｒ−ＣＰＩＣＨ＿ＲＳＣＰ
＋ＵＬ  ｉｎｔｅｒｆｅｒｅｎｃｅ＋Ｃｏｎｓｔａｎｔ  Ｖａｌｕｅ          （１）
（２）インナーループ電力制御（Inner Loop Power Control）（下記の非特許文献２および３を参照）
インナーループ電力制御は、Ｌ１回線（物理チャネル：ＤＰＣＨ（Dedicated Physical Channel））における電力制御であり、ＤＬ（Downlink）／ＵＬ（Uplink）共に独立で動作する。基本的には、１スロット同期にて動作可能である。
【０００８】
信号対干渉比（Signal to Interference Ratio）の目標値であるＴａｒｇｅｔ  ＳＩＲは、Ｎｏｄｅ  ＢおよびＵＥそれぞれに保持され、基本的には、ＲＡＢ（Radio Access Bearer ）種別毎に目標値を変更することが可能である。この目標値は、ＲＮＣの局データにて定義され、呼確立時に設定される。また、Ｔａｒｇｅｔ  ＳＩＲは、後述するアウターループ電力制御（Outer Loop Power Control）にて制御・更新することが可能である。
【０００９】
インナーループ電力制御では、対向装置（Ｎｏｄｅ  Ｂ−ＵＥ）間において、ＳＩＲがＴａｒｇｅｔ  ＳＩＲに近づくように、送信電力制御（ＴＰＣ）ビットで送信電力の上下が指定される。ただし、ＴＰＣビットでは、上下の指定しかすることができない。ＴＰＣの制御幅等は、ＲＲＣ（Radio Resource Control）メッセージを用いて呼確立時に指定される。
（３）アウターループ電力制御（下記の非特許文献４および５を参照）
アウターループ電力制御では、回線受信品質（ＢＬＥＲ（Block Error Rate）／ＢＥＲ（Bit Error Rate））が所要受信品質に近づくように、Ｔａｒｇｅｔ  ＳＩＲが変更される。この場合、ＲＮＣおよびＵＥにてＵＬ／ＤＬそれぞれの回線品質を測定することで、制御が行われる。
【００１０】
受信品質と受信ＳＩＲ値は必ずしも比例せず、時としてＳＩＲが良好でも品質が悪い状態になることがあう。そこで、アウターループ電力制御により、回線品質を測定し、所要受信品質に近づくようにＴａｒｇｅｔ  ＳＩＲを変更する。
【００１１】
ＵＥでは、最大比合成後の品質（ＢＬＥＲ／ＢＥＲ）を観測し、定期的にアウターループ電力制御のＴａｒｇｅｔ  ＳＩＲを変更する。変更周期はＲＡＢ毎に設定可能である。
ＲＮＣでは、受信信号に選択合成ダイバーシチ処理を行った後の品質（ＣＲＣ（Cyclic Redundancy Check ）／ＢＬＥＲ／ＢＥＲ）を観測し、定期的にアウターループ電力制御のＴａｒｇｅｔ  ＳＩＲを変更する。また、この制御はＳＲＮＣ（Serving Radio Network Controller）にて実施されるため、Ｉｕｒ／Ｉｕｂフレームの両フレームプロトコル上で指定可能である。
【００１２】
図１４は、上述したインナーループ電力制御およびアウターループ電力制御の動作シーケンスを示している。
ＵＥ−Ｎｏｄｅ  Ｂ−ＲＮＣ間で呼が確立されると（手順２１）、まず、Ｎｏｄｅ  Ｂ−ＵＥ間で個別チャネル信号が送受信される（手順２２）。ＵＥおよびＮｏｄｅ  Ｂの各装置は、それぞれＳＩＲを測定し、Ｔａｒｇｅｔ  ＳＩＲと測定したＳＩＲを比較する（手順２３および２４）。そして、各装置はＴＰＣビットを使用して、ＳＩＲがＴａｒｇｅｔ  ＳＩＲに近づくように、送信電力の上下を対向装置に指示し（手順２５）、対向装置は送信電力を指示通りに変更して、データを送信する（手順２６）。
【００１３】
Ｎｏｄｅ  Ｂは、ＵＥから受信したデータのＣＲＣを計算し、Ｔｒａｎｓｐｏｒｔ  ＣＨ  ＢＥＲを計算する（手順２７）。そして、得られたＣＲＣ／ＢＥＲをＲＮＣへ報告する（手順２８）。
【００１４】
ＲＮＣは、受信したＣＲＣ結果から次式により受信品質を計算し、受信品質が所要受信品質に近づくようにＴａｒｇｅｔ  ＳＩＲを変更する（手順２９）。
受信品質＝一定期間内のＣＲＣ結果ＮＧ数／一定期間内のサンプル数      （２）
そして、変更指示をＮｏｄｅ  Ｂに通知する（手順３０）。
【００１５】
Ｎｏｄｅ  Ｂは、指示に従ってＴａｒｇｅｔ  ＳＩＲを変更する（手順３１）。そして、変更されたＴａｒｇｅｔ  ＳＩＲを元にＮｏｄｅ  Ｂ−ＵＥ間で再びインナーループ電力制御を行って、送信電力を変更する（手順３２および３３）。
【００１６】
下記の特許文献１は、ＵＥ−Ｎｏｄｅ  Ｂ間の電力制御に関する。このシステムでは、ＵＥでＴＦＣＩ（Transport Format Combination Indicator）を測定し、適正値を計算することで、ＴＦＣＩフィールド電力オフセットをＮｏｄｅ  Ｂに通知し、電力制御を行っている。
【非特許文献１】３ＧＰＰ  ＴＳ２５．３３１、［ｏｎｌｉｎｅ］、［平成１８年１月６日検索］、インターネット＜ＵＲＬ：http://www.3gpp.org/ftp/Specs/html-info/25-series.htm ＞
【非特許文献２】３ＧＰＰ  ＴＳ２５．２１１、［ｏｎｌｉｎｅ］、［平成１８年１月６日検索］、インターネット＜ＵＲＬ：http://www.3gpp.org/ftp/Specs/html-info/25-series.htm ＞
【非特許文献３】３ＧＰＰ  ＴＳ２５．２１４、［ｏｎｌｉｎｅ］、［平成１８年１月６日検索］、インターネット＜ＵＲＬ：http://www.3gpp.org/ftp/Specs/html-info/25-series.htm ＞
【非特許文献４】３ＧＰＰ  ＴＳ２５．４２７、［ｏｎｌｉｎｅ］、［平成１８年１月６日検索］、インターネット＜ＵＲＬ：http://www.3gpp.org/ftp/Specs/html-info/25-series.htm ＞
【非特許文献５】３ＧＰＰ  ＴＳ２５．４３３、［ｏｎｌｉｎｅ］、［平成１８年１月６日検索］、インターネット＜ＵＲＬ：http://www.3gpp.org/ftp/Specs/html-info/25-series.htm ＞
【特許文献１】特開２００２−１９８９０３号公報
【発明の開示】
【発明が解決しようとする課題】
【００１７】
従来の電力制御では、上述したように、ＵＥ−Ｎｏｄｅ  Ｂ間またはＮｏｄｅ  Ｂ−ＲＮＣ間でそれぞれ独立して電力制御が行われる。この場合、それぞれの区間における電力は適切な値に設定されるが、直接通信を行っているＵＥ−ＲＮＣ間では電力制御が実施されないため、両方の区間の電力を同時に適切な値に設定することはできない。
【００１８】
本発明の課題は、無線移動通信システムにおいて、ＵＥ−ＲＮＣ間で電力制御を実施することである。
【課題を解決するための手段】
【００１９】
図１は、本発明の電力制御装置の原理図である。図１の電力制御装置は、通信手段１０１、判定手段１０２、および通知手段１０３を備え、無線移動通信システムにおける移動局１０４の電力を制御する。
【００２０】
通信手段１０１は、移動局１０４から送信されるデータ品質情報を受信する。判定手段１０２は、受信したデータ品質情報を用いて移動局１０４の受信品質を判定し、判定結果に基づいて、移動局１０４に設定される目標電力品質を変更する。通知手段１０３は、変更された目標電力品質を移動局１０４に通知する。
【００２１】
移動局１０４は、受信したデータの品質を示すデータ品質情報を生成し、通信手段１０１に送信する。通信手段１０１は、受信したデータ品質情報を判定手段１０２に転送し、判定手段１０２は、そのデータ品質情報を用いて、移動局１０４の受信品質が所定の範囲内であるか否かを判定し、所定の範囲内でなければ、移動局１０４の目標電力品質を変更する。通知手段１０３は、変更された目標電力品質を移動局１０４に通知し、移動局１０４は、通知された目標電力品質が実現されるように電力を変更する。
【００２２】
電力制御装置は、例えば、後述する図２のＲＮＣに対応し、移動局１０４は、例えば、図２のＵＥに対応する。通信手段１０１および通知手段１０３は、例えば、後述する図３のインタフェース部３０２に対応し、判定手段１０２は、例えば、図３の品質判定部３８３に対応する。
【発明の効果】
【００２３】
本発明によれば、ＵＥが受信電力状態を示すデータ品質情報をＲＮＣに報告することで、ＲＮＣは、Ｎｏｄｅ  ＢだけでなくＵＥの電力も直接制御することができる。したがって、システム全体の利便を図った電力制御を行うことが可能となり、ＵＥおよびＮｏｄｅ  Ｂの必要送信電力／受信電力を一元制御することができる。
【発明を実施するための最良の形態】
【００２４】
以下、図面を参照しながら、本発明を実施するための最良の形態を詳細に説明する。
本実施形態では、ＵＥからＲＮＣに対して、直接、電力制御用パラメータを渡すことにより、電力制御を行う。ＵＥが直接ＲＮＣに対して、Ｍｅａｓｕｒｅｍｅｎｔ  Ｒｅｐｏｒｔ等のＲＲＣプロトコルのメッセージを用いて、受信データの品質を報告する。ＲＮＣはＵＥから受信した品質情報から所要受信品質との差分を計算し、Ｔａｒｇｅｔ  ＳＩＲの変更をＮｏｄｅ  ＢおよびＵＥのそれぞれに通知し、直接、電力制御を実施する。
【００２５】
図２は、このような電力制御の動作シーケンスを示している。まず、ＵＥ−ＲＮＣ間で呼が確立された後（手順２０１）、ＲＮＣは、ＲＲＣプロトコルのメッセージであるＭｅａｓｕｒｅｍｅｎｔ  Ｃｏｎｔｒｏｌを用いて、ＵＥの受信データ品質（ＣＲＣ、ＢＬＥＲ、ＢＥＲ等）の報告タイミングを指示する（手順２０２）。
【００２６】
次に、Ｎｏｄｅ  Ｂ−ＵＥ間で通信が行われ、個別チャネル信号が送受信される（手順２０３）。なお、個別チャネル信号は、手順２０２より前に送受信されることもある。
ＵＥは、この個別チャネル信号から、受信データのＣＲＣ、ＢＬＥＲ、ＢＥＲ等を計算し（手順２０４）、Ｍｅａｓｕｒｅｍｅｎｔ  Ｒｅｐｏｒｔ等のメッセージを用いて、指示されたタイミングでＲＮＣに計算結果を報告する（手順２０５）。
【００２７】
このメッセージには、例えば、ＣＲＣ数、ＢＬＥＲ、またはＢＥＲが含まれる。ＣＲＣ数は、一定期間内のＣＲＣＮＧ数と一定期間内の受信ＣＲＣ数を含み、ＣＲＣＮＧ数は、ＣＲＣチェック結果がエラー（受信データが不良）となった数を表す。
【００２８】
ＲＮＣは、報告された計算結果を元にＵＥの受信品質を計算する（手順２０６）。そして、受信品質と所要受信品質を比較し、その間に乖離があった場合は、ＵＥ用Ｔａｒｇｅｔ  ＳＩＲを変更する。
【００２９】
次に、アウターループ電力制御によりＮｏｄｅ  Ｂ用Ｔａｒｇｅｔ  ＳＩＲを設定し、ＵＥ用Ｔａｒｇｅｔ  ＳＩＲとＮｏｄｅ  Ｂ用Ｔａｒｇｅｔ  ＳＩＲのチェックを実施する（手順２０７）。そして、Ｎｏｄｅ  Ｂ用Ｔａｒｇｅｔ  ＳＩＲをＮｏｄｅ  Ｂに通知し（手順２０８）、ＵＥ用Ｔａｒｇｅｔ  ＳＩＲをＵＥに通知する（手順２０９）。
【００３０】
Ｎｏｄｅ  ＢおよびＵＥは、自局のＴａｒｇｅｔ  ＳＩＲをＲＮＣから通知された値にそれぞれ変更する（手順２１０および２１１）。そして、変更されたＴａｒｇｅｔ  ＳＩＲを元にＮｏｄｅ  Ｂ−ＵＥ間でインナーループ電力制御を行って、送信電力を変更する（手順２１２および２１３）。
【００３１】
ただし、ＲＮＣが一定回数連続で電力制御指示を出したにも関わらず、受信品質の向上が認められなかった場合は、そのＵＥを故障とみなし、それ以降の電力制御は行わない。
このような電力制御によれば、ＲＲＣプロトコルを用いることにより、ＵＥの受信電力状態についてＲＮＣが検知可能なパラメータを、ＵＥからＲＮＣに直接送信することが可能になる。また、ＲＮＣがＵＥとＮｏｄｅ  Ｂに対して直接電力状態を通知することで、システム全体の利便を図った電力制御を行うことが可能となり、ＵＥおよびＮｏｄｅ  Ｂの必要送信電力／受信電力を一元制御することができる。
【００３２】
図３は、図２のＲＮＣの構成例を示している。このＲＮＣは、処理部３０１、３０３、３０６、インタフェース部３０２、スイッチ部３０４（ＡＴＭ−ＳＷ）、制御部３０５、３０８、および終端部３０７を備え、複数のＮｏｄｅ  Ｂを制御する。
【００３３】
処理部３０１は、ＡＡＬ２（ATM Adaptation Layer 2）処理部３１１−１、３１１−２、および伝送路インタフェース部３１２（ＨＷＩＦ）を含む。ＡＡＬ２処理部３１１−１および３１１−２は、ＡＡＬ２の多重分離処理を行う。
【００３４】
インタフェース部３０２は、伝送路インタフェース３２１−１（ＳＤＬＴ）、３２１−２（ＳＤＬＴ）、３２２（ＨＷＩＦ）を含む。伝送路インタフェース３２１−１および３２１−２は、Ｎｏｄｅ  Ｂ−ＲＮＣ間のＩｕｂ回線の終端を行う。
【００３５】
処理部３０３は、パケットデータ処理部３３１−１（ＳＰＵ）、３３１−２（ＳＰＵ）、および伝送路インタフェース部３３２（ＨＷＩＦ）を含む。パケットデータ処理部３３１−１および３３１−２は、パケットデータの処理を行う。
【００３６】
スイッチ部３０４は、ＡＴＭ（Asynchronous Transfer Mode）のスイッチングを行う。
制御部３０５は、伝送路インタフェース部３５１（ＨＷＩＦ）、無線フレームクロック生成部３５２（ＭＣＬＫ）、およびエマジェンシ制御部３５３（ＥＭＣ）を含む。無線フレームクロック生成部３５２は、装置内基準クロック信号を生成し、エマジェンシ制御部３５３は、装置状態の異常監視制御を行う。
【００３７】
処理部３０６は、伝送路インタフェース部３６１−１（ＨＷＩＦ）、３６１−２（ＨＷＩＦ）、ダイバーシチハンドオーバトランク部３６２−１（ＤＨＴ）〜３６２−ｎ（ＤＨＴ）、およびＭＡＣ（Media Access Control）多重分離部３６３−１（Ｍ−ＭＵＸ）〜３６３−ｎ（Ｍ−ＭＵＸ）を含む。ダイバーシチハンドオーバトランク部３６２−１〜３６２−ｎは、ダイバーシチハンドオーバ処理を行い、ＭＡＣ多重分離部３６３−１〜３６３−ｎは、無線回線のＭＡＣ層多重分離処理を行う。
【００３８】
終端部３０７は、伝送路インタフェース部３７１（ＨＷＩＦ）、移動局対向信号終端部３７２（ＭＳＵ）、およびＯＰＳ（オペレーションシステム）対向信号終端部３７３（ＯＳＵ）を備え、呼処理等の制御信号の終端を行う。
【００３９】
制御部３０８は、バス制御部３８１（ＢＣＯＮＴ）、呼処理制御部３８２−１（ＣＰ）〜３８２−ｍ（ＣＰ）、および品質判定部３８３を含む。呼処理制御部３８２−１〜３８２−ｍは、呼確立制御、モビリティ管理等を行う。
【００４０】
品質判定部３８３は、ＵＥから受信した品質情報を元に、ＵＥの受信品質と所要受信品質との比較を行う。ここで、受信品質が劣悪だった場合、受信品質を向上させるために、ＵＥとＮｏｄｅ  Ｂに対してＴａｒｇｅｔ  ＳＩＲを上げるように指示する。また、受信品質が所要受信品質よりも良好だった場合、消費電力を削減するために、ＵＥとＮｏｄｅ  Ｂに対してＴａｒｇｅｔ  ＳＩＲを下げるように指示する。
【００４１】
品質判定部３８３の機能は、ソフトウェアまたはハードウェアのいずれでも実装することができる。ソフトウェアで実装する場合、品質判定部３８３はＣＰＵ（中央処理装置）とメモリを含み、プログラムを実行することで受信品質を判定する。
【００４２】
図４は、図２のＵＥの構成例を示している。このＵＥは、アンテナ４０１、ＲＦ（Radio Frequency ）部４０２、ベースバンド部４０３、音声入出力部４０４（Ｓｐｅａｋｅｒ  ＆  Ｍｉｃ）、制御部４０５、および品質判定部４０６を備える。
【００４３】
ＲＦ部４０２は、アンテナ共用器４１１（ＤＵＰ）、電力増幅器４１２（ＰＡ）、受信器４１３（ＲＸ）、送信器４１４（ＴＸ）、変換部４１５（Ａｎａｌｏｇ  Ｆｒｏｎｔ  Ｅｎｄ）、および周波数合成器４１６（Ｆｒｅｑｕｅｎｃｙ  Ｓｙｎｔｈｅｓｉｚｅｒ）を含む。
【００４４】
ベースバンド部４０３は、信号処理部４１７（Ｌ１  Ｍｏｄｅｍ  ＆  ＣＨ  ｃｏｄｅｃ）、制御部４１８（Ｂａｓｅｂａｎｄ  ＆  ＲＦ  ｃｏｎｔｒｏｌ）、および音声インタフェース４１９（Ａｕｄｉｏ  Ｉｎｔｅｒｆａｃｅ）を含む。音声入出力部４０４は、スピーカおよびマイクを含む。
【００４５】
Ｎｏｄｅ  Ｂから送信された信号は、アンテナ４０１で受信され、アンテナ共用器４１１、受信器４１３、および変換部４１５を経由して、ベースバンド部４０３に転送される。このとき、受信器４１３は、受信信号を検波し、変換部４１５は、アナログ／デジタル（Ａ／Ｄ）変換を行い、ベースバンド部４０３は、Ｗ−ＣＤＭＡ方式における受信信号の逆拡散等のベースバンド信号処理を行う。そして、音声信号を、音声インタフェース４１９から音声入出力部４０４に出力する。
【００４６】
また、音声入出力部４０４からの音声信号は、音声インタフェース４１９に入力され、送信信号として、ベースバンド部４０３、変換部４１５、送信器４１４を経由して転送される。そして、電力増幅器４１２により増幅された後、アンテナ共用器４１１を経由して、アンテナ４０１からＢＴＳに送信される。このとき、ベースバンド部４０３は、Ｗ−ＣＤＭＡ方式における送信信号の拡散等のベースバンド信号処理を行い、変換部４１５は、デジタル／アナログ（Ｄ／Ａ）変換を行い、送信器４１４は、周波数合成器４１６の出力を用いて、ＲＦ信号への変換を行う。
【００４７】
制御部４０５は、無線チャネル管理、品質管理、モビリティ管理等を行うとともに、Ｔａｒｇｅｔ  ＳＩＲの設定・変更や送信電力の変更等の電力制御を行う。
品質計測部４０６は、受信信号を元にＣＲＣ、ＢＬＥＲ、ＢＥＲ等の品質データを計測する。計測された品質データは、ＲＲＣプロトコルを使用してＲＮＣへ送信される。
【００４８】
図５は、ＵＥからＲＮＣへの品質パラメータの送信に用いられるＭｅａｓｕｒｅｍｅｎｔ  Ｒｅｐｏｒｔの例を示している。この例では、従来のＭｅａｓｕｒｅｍｅｎｔ  Ｒｅｐｏｒｔに対して、受信データ報告５０１が追加されている。この受信データ報告５０１には、ＢＥＲ、ＢＬＥＲ、ＣＲＣ数等の品質データ種別５０２と、各品質データの報告値５０３〜５０５が含まれる。受信データ報告５０１はオプショナル（ＯＰ）として設定されている。
【００４９】
図６は、ＲＮＣの品質判定部３８３に保持され、品質判定処理で用いられる判定パラメータを示している。この例では、パラメータＡ〜Ｚはすべてオプショナル（ＯＰ）として設定されている。
【００５０】
ＲＮＣは、ＵＥからの品質データの他に、Ｎｏｄｅ  Ｂからの品質データ（Ｐｈｙｓｉｃａｌ  ＣＨ  ＢＥＲ、Ｔｒａｎｓｐｏｒｔ  ＣＨ  ＢＥＲ／ＢＬＥＲ）も受信する。そして、品質判定部３８３は、ＵＥとＮｏｄｅ  Ｂのそれぞれの受信品質を判定する。特に、Ｎｏｄｅ  Ｂから受信した品質データを使用する場合、従来のアウターループ電力制御と同様の論理で受信品質を計算する。
【００５１】
ところで、ＵＥは、あらかじめＲＮＣから受信したＭｅａｓｕｒｅｍｅｎｔ  Ｃｏｎｔｒｏｌ内のパラメータにより、ＲＮＣへ品質データを報告するタイミングを決定する。報告タイミングとしては、例えば、以下のいずれかが用いられる。
１．周期ａ（ｓｅｃ）で報告する。
２．ＵＥで計測されたＢＬＥＲを前回の計測値と比較し、ｂ（％）より大きな差がある（次式が成り立つ）場合に報告する。
｜前回計測ＢＬＥＲ−計測ＢＬＥＲ｜＞ｂ（％）      （３）
３．ＵＥで計測されたＢＥＲを前回の計測値と比較し、ｄ（％）より大きな差がある（次式が成り立つ）場合に報告する。
｜前回計測ＢＥＲ−計測ＢＥＲ｜＞ｄ（％）      （４）
４．ＵＥで計測されたＣＲＣＮＧ数と前回の計測値を比較し、ｃ個より大きな差がある（次式が成り立つ）場合に報告する。
｜前回計測ＣＲＣＮＧ数−計測ＣＲＣＮＧ数｜＞ｃ（個）      （５）
図７は、このような報告タイミングを指定するＭｅａｓｕｒｅｍｅｎｔ  Ｃｏｎｔｒｏｌの例を示している。この例では、報告周期７０１およびＴｒｉｇｇｅｒ７０２がオプショナル（ＯＰ）として設定されている。このうち、Ｔｒｉｇｇｅｒ７０２には、ＢＬＥＲ、ＢＥＲ、ＣＲＣ数等のＴｒｉｇｇｅｒ種別７０３と、各Ｔｒｉｇｇｅｒ種別の閾値７０４〜７０６が含まれる。これらの閾値７０４〜７０６が、上記ｂ、ｄ、およびｃに相当する。
【００５２】
次に、図８から図１０までを参照しながら、図３の品質判定部３８３による品質判定処理の３つの例について説明する。この品質判定処理は、図２の手順２０２〜２０９に対応する。
【００５３】
図８は、受信品質を受信データ（品質データ）から判定する品質判定処理のフローチャートである。この例では、ＵＥが個別チャネル信号を受信した後（ステップ８０１）、ＲＮＣがＵＥに対してＭｅａｓｕｒｅｍｅｎｔ  Ｃｏｎｔｒｏｌを送信し、品質データの報告タイミングを通知する（ステップ８０２）。
【００５４】
次に、ＵＥは、通知された報告タイミングの条件が満たされたか否かをチェックする（ステップ８０３）。そして、その条件が満たされれば、ＲＮＣに対してＭｅａｓｕｒｅｍｅｎｔ  Ｒｅｐｏｒｔを送信し、品質データを報告する（ステップ８０４）。
【００５５】
次に、ＲＮＣの品質判定部３８３は、受信品質を次のように算出する（ステップ８０５）。
１．品質データがＢＬＥＲの場合
受信品質＝ＢＬＥＲ（％）      （６）
２．品質データがＣＲＣ数の場合
受信品質＝ＢＬＥＲ（％）
＝（ＣＲＣＮＧ数＊１００）／受信ＣＲＣ数      （７）
３．品質データがＢＥＲの場合
受信品質＝ＢＥＲ（％）      （８）
次に、受信品質に基づいて、Ｔａｒｇｅｔ  ＳＩＲを以下のように設定する。
１．０≦受信品質≦判定値Ａの場合、Ｔａｒｇｅｔ  ＳＩＲの変更なし。
２．判定値Ａ＜受信品質の場合、Ｔａｒｇｅｔ  ＳＩＲを上げる。
【００５６】
そこで、受信品質を判定値Ａと比較し（ステップ８０６）、受信品質が判定値Ａ以下であれば、Ｔａｒｇｅｔ  ＳＩＲを変更せずに処理を終了する。
受信品質が判定値Ａより大きければ、次に、同一ＵＥに対して判定回数Ｂ回連続でＴａｒｇｅｔ  ＳＩＲの変更指示を行っているか否かをチェックする（ステップ８０７）。Ｂ回連続でＴａｒｇｅｔ  ＳＩＲの変更を指示しても受信品質が改善していない場合、ＲＲＣ負荷の軽減のためそのＵＥへの制御を中止して、処理を終了する。
【００５７】
一方、Ｔａｒｇｅｔ  ＳＩＲの変更指示回数がＢ回に達していなければ、次に、ＵＥに対してＴａｒｇｅｔ  ＳＩＲの変更指示を出した後、判定期間Ｃ（ｓｅｃ）を経過しているか否かをチェックする（ステップ８０８）。判定期間Ｃを経過しても受信品質が改善していない場合、ＲＲＣ負荷の軽減のためそのＵＥへの制御を中止して、処理を終了する。
【００５８】
ＵＥへの制御を中止した後、判定期間Ｄ（ｓｅｃ）以上経過した場合、ＵＥへの制御を再開する。
ステップ８０８において判定期間Ｃを経過していなければ、Ｔａｒｇｅｔ  ＳＩＲを変更する（ステップ８０９）。ここでは、ＵＥ用Ｔａｒｇｅｔ  ＳＩＲ  ＸとＮｏｄｅ  Ｂ用Ｔａｒｇｅｔ  ＳＩＲ  Ｙの両方を上げる。
【００５９】
次に、Ｔａｒｇｅｔ  ＳＩＲ  ＸとＴａｒｇｅｔ  ＳＩＲ  Ｙを比較し、それらの値を以下のように修正する。
１．０≦Ｔａｒｇｅｔ  ＳＩＲ  Ｘ−Ｔａｒｇｅｔ  ＳＩＲ  Ｙ≦Ｚの場合、Ｔａｒｇｅｔ  ＳＩＲ  ＸとＴａｒｇｅｔ  ＳＩＲ  Ｙの変更なし。
２．Ｔａｒｇｅｔ  ＳＩＲ  Ｘ−Ｔａｒｇｅｔ  ＳＩＲ  Ｙ＜０の場合、Ｔａｒｇｅｔ  ＳＩＲ  Ｙを下げる。
３．Ｚ＜Ｔａｒｇｅｔ  ＳＩＲ  Ｘ−Ｔａｒｇｅｔ  ＳＩＲ  Ｙの場合、Ｔａｒｇｅｔ  ＳＩＲ  Ｘを下げる。
【００６０】
ここでは、まず、ＸとＹの差分（Ｔａｒｇｅｔ  ＳＩＲ  Ｘ−Ｔａｒｇｅｔ  ＳＩＲ  Ｙ）を０と比較し（ステップ８１０）、差分が０より小さければ、Ｔａｒｇｅｔ  ＳＩＲ  Ｙを下げる（ステップ８１１）。
【００６１】
差分が０以上であれば、次に、その差分を判定値Ｚと比較し（ステップ８１２）、差分がＺより大きければ、Ｔａｒｇｅｔ  ＳＩＲ  Ｘを下げる（ステップ８１３）。そして、差分がＺ以下であれば、Ｔａｒｇｅｔ  ＳＩＲ  ＸおよびＴａｒｇｅｔ  ＳＩＲ  Ｙを変更しない。
【００６２】
次に、ＵＥおよびＮｏｄｅ  Ｂに対してそれぞれＴａｒｇｅｔ  ＳＩＲ  ＸおよびＴａｒｇｅｔ  ＳＩＲ  Ｙを通知し、Ｔａｒｇｅｔ  ＳＩＲの変更を依頼する（ステップ８１４）。
【００６３】
図９は、受信品質の差分に基づく品質判定処理のフローチャートである。ステップ９０１〜９０５の処理は、図８のステップ８０１〜８０５の処理と同様である。
次に、品質判定部３８３は、今回の受信品質Ｅ（％）と、同一ＵＥに対する前回の受信品質Ｆ（％）から、受信品質の差分Ｅ−Ｆを計算し、判定値Ｇ（％）と比較する（ステップ９０６）。ここで、受信品質Ｅ−受信品質Ｆ≦判定値Ｇの場合、受信品質は良好と判定し、Ｔａｒｇｅｔ  ＳＩＲを変更せずに処理を終了する。
【００６４】
一方、受信品質Ｅ−受信品質Ｆ＞判定値Ｇの場合、受信品質が悪化傾向にあると判定し、ステップ９０７以降の処理を行う。ステップ９０７および９０８の処理は、図８のステップ８０７および８０８の処理と同様である。ＵＥへの制御を中止した後、判定期間Ｄ（ｓｅｃ）以上経過した場合、ＵＥへの制御が再開される。
【００６５】
ステップ９０８において判定期間Ｃを経過していなければ、ＵＥ用Ｔａｒｇｅｔ  ＳＩＲ  ＸとＮｏｄｅ  Ｂ用Ｔａｒｇｅｔ  ＳＩＲ  Ｙを上げて（ステップ９０９）、ステップ９１０以降の処理を行う。ステップ９１０〜９１４の処理は、図８のステップ８１０〜８１４の処理と同様である。
【００６６】
図１０は、図８の判定と図９の判定を組み合わせた品質判定処理のフローチャートである。ステップ１００１〜１００６の処理は、図８のステップ８０１〜８０６の処理と同様である。ただし、ステップ８０６では、今回の受信品質Ｅ（％）を判定値Ａと比較する。
【００６７】
ステップ１００６において受信品質Ｅが判定値Ａ以下であれば、次に、今回の受信品質Ｅ（％）と、同一ＵＥに対する前回の受信品質Ｆ（％）から、受信品質の差分Ｅ−Ｆを計算し、判定値Ｇ（％）と比較する（ステップ１００７）。ここで、受信品質Ｅ−受信品質Ｆ≦判定値Ｇの場合、受信品質は良好と判定し、Ｔａｒｇｅｔ  ＳＩＲを変更せずに処理を終了する。
【００６８】
一方、受信品質Ｅ−受信品質Ｆ＞判定値Ｇの場合、受信品質が悪化傾向にあると判定し、ステップ１００８以降の処理を行う。ステップ１００８および１００９の処理は、図８のステップ８０７および８０８の処理と同様である。ＵＥへの制御を中止した後、判定期間Ｄ（ｓｅｃ）以上経過した場合、ＵＥへの制御が再開される。
【００６９】
ステップ１００９において判定期間Ｃを経過していなければ、ＵＥ用Ｔａｒｇｅｔ  ＳＩＲ  ＸとＮｏｄｅ  Ｂ用Ｔａｒｇｅｔ  ＳＩＲ  Ｙを上げて（ステップ１０１０）、ステップ１０１１以降の処理を行う。ステップ１０１１〜１０１５の処理は、図８のステップ８１０〜８１４の処理と同様である。
【００７０】
以上の品質判定処理では、ＢＬＥＲまたはＢＥＲを受信品質として用いているが、ＵＥから報告される品質データから別のパラメータを計算し、それを受信品質として用いてもよい。
また、電力制御において、必ずしもＴａｒｇｅｔ  ＳＩＲを目標値として用いる必要はなく、電力品質を示す別のパラメータを用いてもよい。
【００７１】
（付記１）無線移動通信システムにおける移動局の電力を制御する電力制御装置であって、
前記移動局から送信されるデータ品質情報を受信する通信手段と、
受信したデータ品質情報を用いて前記移動局の受信品質を判定し、判定結果に基づいて、該移動局に設定される目標電力品質を変更する判定手段と、
変更された目標電力品質を前記移動局に通知する通知手段と
を備えることを特徴とする電力制御装置。
（付記２）前記判定手段は、前記データ品質情報を用いて前記受信品質の指標を計算し、得られた受信品質の指標を判定値と比較して、該受信品質を判定することを特徴とする付記１記載の電力制御装置。
（付記３）前記判定手段は、前記移動局から今回受信した第１のデータ品質情報を用いて前記受信品質の第１の指標を計算し、該移動局から前回受信した第２のデータ品質情報を用いて該受信品質の第２の指標を計算し、得られた第１の指標と第２の指標の差分を判定値と比較して、該受信品質を判定することを特徴とする付記１記載の電力制御装置。
（付記４）前記判定手段は、前記移動局から今回受信した第１のデータ品質情報を用いて前記受信品質の第１の指標を計算し、該移動局から前回受信した第２のデータ品質情報を用いて該受信品質の第２の指標を計算し、得られた第１の指標を判定値と比較し、かつ、得られた第１の指標と第２の指標の差分を判定値と比較して、該受信品質を判定することを特徴とする付記１記載の電力制御装置。
（付記５）前記通信手段は、前記データ品質情報としてブロック誤り率を示す情報を受信し、前記判定手段は、該ブロック誤り率を前記受信品質の指標として用いて、前記受信品質を判定することを特徴とする付記２、３、または４記載の電力制御装置。
（付記６）前記通信手段は、前記データ品質情報としてビット誤り率を示す情報を受信し、前記判定手段は、該ビット誤り率を前記受信品質の指標として用いて、前記受信品質を判定することを特徴とする付記２、３、または４記載の電力制御装置。
（付記７）前記通信手段は、前記データ品質情報として巡回冗長検査の誤り数を示す情報を受信し、前記判定手段は、該巡回冗長検査の誤り数を用いて前記受信品質の指標を計算し、前記受信品質を判定することを特徴とする付記２、３、または４記載の電力制御装置。
（付記８）無線移動通信システムにおける移動局の電力を制御する電力制御方法であって、
前記移動局とデータ通信を行って、該移動局から送信されるデータ品質情報を受信し、
受信したデータ品質情報を用いて前記移動局の受信品質を判定し、
判定結果に基づいて、前記移動局に設定される目標電力品質を変更し、
変更された目標電力品質を前記移動局に通知する
ことを特徴とする電力制御方法。
【図面の簡単な説明】
【００７２】
【図１】本発明の電力制御装置の原理図である。
【図２】本発明の電力制御を示す図である。
【図３】基地局制御装置の構成図である。
【図４】移動局の構成図である。
【図５】Ｍｅａｓｕｒｅｍｅｎｔ  Ｒｅｐｏｒｔを示す図である。
【図６】判定パラメータを示す図である。
【図７】Ｍｅａｓｕｒｅｍｅｎｔ  Ｃｏｎｔｒｏｌを示す図である。
【図８】第１の品質判定処理のフローチャートである。
【図９】第２の品質判定処理のフローチャートである。
【図１０】第３の品質判定処理のフローチャートである。
【図１１】従来のオープンループ電力制御を示す図である。
【図１２】Ｐｒｉｍａｒｙ  ＣＰＩＣＨ  Ｔｘ  ｐｏｗｅｒの定義を示す図である。
【図１３】Ｃｏｎｓｔａｎｔ  ｖａｌｕｅの定義を示す図である。
【図１４】従来のインナーループ電力制御／アウターループ電力制御を示す図である。
【符号の説明】
【００７３】
１０１  通信手段
１０２  判定手段
１０３  通知手段
１０４  移動局
３０１、３０３、３０６  処理部
３０２  インタフェース部
３０４  スイッチ部
３０５、３０８、４０５  制御部
３０７  終端部
３１１−１、３１１−２  ＡＡＬ２処理部
３１２、３２１−１、３２１−２、３２２、３３２、３５１、３６１−１、３６１−２、３７１  伝送路インタフェース部
３３１−１、３３１−２  パケットデータ処理部
３５２  無線フレームクロック生成部
３５３  エマジェンシ制御部
３６２−１、３６２−ｎ  ダイバーシチハンドオーバトランク部
３６３−１、３６３−ｎ  ＭＡＣ多重分離部
３７２  移動局対向信号終端部
３７３  対向信号終端部
３８１  バス制御部
３８２−１、３８２−ｍ  呼処理制御部
３８３  品質判定部
４０１  アンテナ
４０２  ＲＦ部
４０３  ベースバンド部
４０４  音声入出力部
４０６  品質計測部
４１１  アンテナ共用器
４１２  電力増幅器
４１３  受信器
４１４  送信器
４１５  変換部
４１６  周波数合成器
４１７  信号処理部
４１９  音声インタフェース
５０１  受信データ報告
５０２  品質データ種別
５０３  品質データ報告値ＢＥＲ
５０４  品質データ報告値ＢＬＥＲ
５０５  品質データ報告値ＣＲＣ
７０１  報告周期
７０２  Ｔｒｉｇｇｅｒ
７０３  Ｔｒｉｇｇｅｒ種別
７０４  Ｔｒｉｇｇｅｒ種別ＢＬＥＲ
７０５  Ｔｒｉｇｇｅｒ種別ＢＥＲ
７０６  Ｔｒｉｇｇｅｒ種別ＣＲＣ
【図１】
0004589249.tif 000002
【図２】
0004589249.tif 000003
【図３】
0004589249.tif 000004
【図４】
0004589249.tif 000005
【図５】
0004589249.tif 000006
【図６】
0004589249.tif 000007
【図７】
0004589249.tif 000008
【図８】
0004589249.tif 000009
【図９】
0004589249.tif 000010
【図１０】
0004589249.tif 000011
【図１１】
0004589249.tif 000012
【図１２】
0004589249.tif 000013
【図１３】
0004589249.tif 000014
【図１４】
0004589249.tif 000015